(57)【要約】【課題】  火災時の膨張収縮の差によって生じる耐火性・防火性の低下を防止することのできる外壁パネル取付構造を提供する。【解決手段】  外壁パネル４は外壁面材４１と取付金具４２とからなる。建物構造体（間柱）３に通孔３９を設け、取付金具４２に通孔４９を設ける。そして、この外壁パネル４を建物構造体３に、通孔３９と通孔４９に連結具（リベット）５で取り付けた外壁パネル取付構造である。なお、この際、通孔３９と通孔４９のどちらか一方の径は連結具５の軸径より４ｍｍ以上大きく、取付金具４２と建物構造体３の間に火災時に焼失または溶融するシート状体３５を設ける。【選択図】          図３
2005146653.tif 000002
【特許請求の範囲】
【請求項１】
外壁面材と、この外壁面材に取り付けられた取付金具とからなる外壁パネルの取付金具に通孔が設けられ、建物構造体に通孔が設けられ、この外壁パネルが建物構造体に、取付金具の通孔と建物構造体の通孔とに通された連結具で、取り付けられた外壁パネル取付構造であって、前記取付金具と建物構造体のどちから一方の通孔は縦横共に連結具の軸径より４ｍｍ以上大きく、この取付金具と建物構造体の間の連結具近傍には、火災時に消失または溶融するシート状体が設けられていることを特徴とする外壁パネル取付構造。
【請求項２】
前記建物構造体が天井部分の梁と床部分の梁に差し渡された縦部材であり、前記外壁パネルの取付金具がこの縦部材に沿った長いフレームであり、前記火災時に消失または溶融するシート状体が縦部材とフレームの間に設けられた長尺有機質発泡体シートであることを特徴とする請求項１記載の外壁パネル取付構造。
【発明の詳細な説明】
【技術分野】
【０００１】
本発明は、外壁パネルを建物構造体に取り付けた外壁パネル取付構造に関する。
【背景技術】
【０００２】
従来の建物の外壁としては、建物の外壁の全面にモルタル層等を設けた外壁が多かったが、この方法では、現場施工期間が長くなるので、最近では、予め製造されている複数個の外壁パネルを建物の柱、間柱、天井梁、床梁等の建物構造体に取り付けた外壁が多く採用されている。
【０００３】
この外壁パネルを建物構造体に取り付けた外壁パネル取付構造としては種々ある。例えば、予め、外壁面材にボルト等を埋め込んだ外壁パネルを製造し、この外壁パネルのボルト等を建物構造体に取り付けた外壁パネル取付構造や、特許文献１に記載されているように、外壁面材に四角筒状のフレームを取り付け、このフレームに通孔を設け、建物構造体にも通孔を設け、このフレームの通孔と建物構造体の通孔とを向かい合わせ、この両方の通孔に通されたリベットやスクリュー釘等の連結具でフレームを建物構造体に連結した外壁パネル取付構造もある。後者が、簡単に取り付けることができるので多く採用されている。
【０００４】
このリベットで外壁パネルを建物構造体に取り付けた外壁パネル取付構造では、フレームの通孔の径と建物構造体の通孔の径とをリベットの軸径と略等しくしていると、通孔の位置が若干ずれたときに、リベットを通孔の中に入れることができず、取り付け難いという問題があるので、通常、リベットの径より通孔の径を若干大きくしている。実際には、リベットの径が７ｍｍであり、通孔の径が９ｍｍというように略２ｍｍ大きくしている場合が多い。
【０００５】
しかし、これでも尚、取り付け難い場合の外壁パネルの取付構造としては、特許文献２に記載されているように、建物構造体である間柱（スタッドと記載されている）に長手方向に長い切欠を設け、この間柱の切欠と、外壁パネルのフレームの通孔とに通したリベットで、外壁パネルを間柱に取り付けた構造が知られている。
【０００６】
【特許文献１】特開昭６１−５１４２号公報
【特許文献２】特開平８−３１２０２５号公報
【発明の開示】
【発明が解決しようとする課題】
【０００７】
しかしながら、上記特許文献１や特許文献２に記載されている外壁パネル取付構造では、外壁パネルが移動しないように連結具で強固に固定されているために、火災等が発生したときには、建物構造体と外壁パネルの間に生じる膨張収縮の差によって外壁面材に亀裂等が発生したり、外壁面材の一部が脱落し、この亀裂や脱落によって生じた孔から炎等が通過し、実際の外壁面材の耐火性・防火性より建物の耐火性・防火性が低下する。
【０００８】
そこで、本発明の目的は、火災時の膨張収縮の差によって生じる耐火性・防火性の低下を防止することのできる外壁パネル取付構造を提供することである。
【課題を解決するための手段】
【０００９】
本発明は上記目的を達成するためになされたものであって、請求項１記載の発明は、外壁面材と、この外壁面材に取り付けられた取付金具とからなる外壁パネルの取付金具に通孔が設けられ、建物構造体に通孔が設けられ、この外壁パネルが建物構造体に、取付金具の通孔と建物構造体の通孔に通された連結具で、取り付けられた外壁パネルの取付構造であって、前記取付金具と建物構造体のどちらか一方の通孔は縦横共に連結具の軸径より４ｍｍ以上大きく、この取付金具と建物構造体の間の連結具近傍には、火災時に焼失または溶融するシート状体が設けられているものである。
【００１０】
この請求項１記載の発明における建物構造体とは、外壁パネルを取り付けても支障のない強度を有する建物の部材をいい、かかる建物構造体としては、柱や間柱等の柱類、天井梁や床梁等の梁、まぐさ等がある。
また、請求項１記載の発明における外壁面材とは、外壁になる面材をいう。そして、この外壁面材としては、セメント系、ガラス系、岩石系の板等の無機質材料を板状にした無機質外壁面材が耐火性・防火性に優れ、しかも、耐候性に優れているので好ましい。この無機質外壁面材としては、硬質木片セメント板、コンクリート板、繊維強化コンクリート板、軽量気泡コンクリート板、繊維強化軽量コンクリート板、ＡＬＣ板、発泡ガラス板、特公平４−４５４７１号公報に記載されている成形用含水成形材料を硬化させた板状体等がある。
【００１１】
また、この請求項１記載の発明における取付金具とは、外壁面材に取り付けられて、この外壁面材を建物構造体に取り付け易くするものである。
従って、この取付金具としては、建物構造材に取り付ける場所にのみに取り付けられた小片や塊であってもよいし、この取り付ける場所からその他の場所までの長い長尺体であってもよい。
【００１２】
かかる取付金具としては、鉄等の金属の板状短尺体、板状長尺体や筒状長尺体が好適である。特に、特許文献１や特許文献２に記載されているフレームのように、四角筒状長尺体が機械的強度が大きく、外壁面材の機械的強度を大きくすることができ、しかも、この四角筒状長尺体の一方の壁を外壁面材に取り付け、この反対側の壁を建物構造体に取り付けるというように、四角筒状の相対する壁をそれぞれ別の目的に使用することができので好ましい。
【００１３】
即ち、外壁面材をフレームに、外壁面材からフレームにビスを螺入して、取り付ける外壁パネルである場合には、このビスの先端をフレームの四角筒の中までの長さにすることで先端がフレームの反対側に突出することのない状態に取り付けることができ、このフレームを建物構造体に当接するときに支障のない状態ようにすることができる。また、外壁パネルを建物構造体に取り付ける際には、フレームに通孔を設け、建物構造体にも通孔を設け、この両方の通孔を利用して両者を連結具で連結すると、連結具が釘やスクリュー釘やビスの場合にはこの先端をフレームの四角筒の中までにすることもでき、外壁面材が痛まないし、また、連結具がリベットの場合には、リベットのフランジや拡張変形部を、また、ボルト・ナットの場合には、ナットをそれぞれこのフレームの四角筒の中に設けることができるし、また、壁にネジ孔を設けることができ、便利である。
【００１４】
この請求項１記載の発明では、取付金具と建物構造体のどちらか一方の通孔を、縦横共に連結具の軸径より４ｍｍ以上大きくしているが、これは、建物構造体の通孔が連結具の軸径より４ｍｍ以上大きい丸孔または楕円孔であってもよいし、取付金具の通孔が連結具の軸径より４ｍｍ以上大きい丸孔または楕円孔であってもよいし、両方の通孔が連結具の軸径より４ｍｍ以上大きい丸孔または楕円孔であってもよいことを意味している。
そして、この連結具の軸径より４ｍｍ以上大きくする理由は、火災時の外壁パネルと建物構造体の膨張収縮の差が、外壁構造体と建物構造体の材質や大きさによって異なるが、通常、４ｍｍ以上あれば十分であるからである。
【００１５】
即ち、建物構造体が鋼等の金属である場合には、火災時に膨張するし、セメント系の外壁面材の場合には、常温では金属より熱膨張率が大きいが、火災時には、水分が少なくなり収縮する。そして、この膨張収縮の差は、外壁面材の長さによって異なるが、通常の外壁パネルでは、その差は４ｍｍ〜１０ｍｍの場合が多く、４ｍｍ以上あれば十分である。
この通孔の形状としては、外壁面材が正方形の場合には膨張収縮の量は縦横略同じあるので、丸孔が好ましいし、長方形の場合には長辺方向の膨張収縮の差が短辺方向より大きいので、長辺方向に長い楕円孔が好ましい。
【００１６】
また、この請求項１記載の発明における連結具とは、外壁パネルを建物構造体に連結するために使用されるものであって、釘、スクリュー釘、ビス、リベット、ボルト・ナット等がある。
特に、フランジ部と、拡張変形部になる可拡張部と、このフランジ部と可拡張部を繋ぐ軸部と、可拡張部の先端に設けられた引き片と、一端が引き片に取り付けられ、軸部の中を通って他端がフランジ部から突出している引っ張り軸とからなるリベットが、次に示すように、外壁面材を傷めずに、屋内側からだけで外壁パネルを取り付けることができるので好ましい。
【００１７】
即ち、先ず、屋外側から外壁パネルを建物構造体に近づけ、外壁パネルの通孔と建物構造体の通孔とを合わせた状態に、外壁パネルを建物構造体に当接させ、屋内側からリベットの可拡張部を先頭にして建物構造体の通孔と外壁パネルの通孔に、フランジが建物構造体に当接するまで、挿入する。
すると、可拡張部が建物構造体の通孔と外壁パネルの通孔とを通過し、軸部が外壁パネルの通孔と建物構造体の通孔の中に留まる。
【００１８】
この状態で、フランジから屋内方向に突出している引っ張り軸部を屋内側から引っ張ると、引き片が引き寄せられ、可拡張部が引き潰されて変形し拡張変形部となる。その結果、この拡張変形部とフランジで、建物構造体と外壁パネルの取付金具が挟圧され、外壁パネルが建物構造体に移動しないように強固に取り付けられる。
【００１９】
このように、建物構造体の屋外側に外壁パネルを当接させ、屋内側からリベットを建物構造体の通孔と外壁パネルの通孔とに通し、屋内側から引っ張り軸部を引っ張って引き片を引き寄せるだけで、外壁パネルを簡単に取り付けることができるのである。従って、このリベットを使用すると、外壁面材から建物構造体に釘等を打ち込んで取り付けるときのように壁面材を傷つけることがないし、屋内側からだけで取り付けることができ、施工し易い。
【００２０】
請求項１記載の発明における火災時に焼失または溶融するシート状体とは、火災ときに燃えてなくなる紙、木質シート、合成樹脂シート、ゴムシート等や、火災の熱によって溶融する合成樹脂シート、ゴムシートや、この合成樹脂やゴムの発泡体シートがある。
この火災時に焼失または溶融するシート状体は、取付金具と建物構造体との連結具近傍に設けられているが、これは、例えば、座金のように、連結具近傍だけに設けてもよいし、連結部近傍以外の場所にも設けてもよいことを意味している。
【００２１】
特に、請求項２記載のように、建物構造体が天井部分の梁と床部分の梁に差し渡された縦部材であり、外壁パネルの取付金具がこの縦部材に沿う長いフレームであり、この火災時に焼失または溶融するシート状体が縦部材とフレームとの間に設けた長尺有機質発泡体シートである場合には、火災時にはこの長尺有機質発泡体が焼失または溶融して連結具の締結力が緩み、外壁パネルが移動し、外壁面材に亀裂が入ったり、外壁面材が脱落することがない上に、この外壁パネルと建物構造体の間にある長尺有機質発泡体シートが連結具によって常時圧縮されていて、この部分が水密になり、建物の防水性がよくなるので好ましい。
【００２２】
即ち、請求項２記載の発明は、請求項１記載の発明に係り、前記建物構造体が天井部分の梁と床部分の梁に差し渡された縦部材であり、前記外壁パネルの取付金具がこの縦部材に沿った長いフレームであり、前記火災時に焼失または溶融するシート状体が縦部材とフレームの間に設けられた長尺有機質発泡体シートであるものである。
【００２３】
この請求項２記載の発明における天井部分の梁と床部分の梁とは、天井部分や床部分に天井梁や床梁がある場合には、この天井梁と床梁をいい、上階と下階の間に、下階の天井梁と上階の床梁とを兼用した梁がある場合には、この梁をいう。
そして、この天井部分の梁と床部分の梁に差し渡された縦部材とは、柱や間柱等のように天井部分の梁と床部分の梁との間に設けられた縦方向の部材をいう。
この請求項２記載の発明に使用する長尺有機質発泡体シートとは、ポリエチレン樹脂やポリスチレン樹脂等の合成樹脂の発泡体や天然ゴム、合成ゴム等のゴムの発泡体を帯状にしたものいい、かかる長尺有機質発泡体シートは合成樹脂やゴムの中に多くの気泡を有していて、火災時には簡単に焼失したり融解する。
（作用）
【００２４】
請求項１記載の発明では、外壁面材と、この外壁面材に取り付けられた取付金具とからなる外壁パネルの取付金具に通孔が設けられ、建物構造体に通孔が設けられ、この外壁パネルが建物構造体に、取付金具の通孔と建物構造体の通孔に通された連結具で、取り付けられた外壁パネルの取付構造であって、前記取付金具と建物構造体のどちから一方の通孔は縦横共に連結具の軸径より４ｍｍ以上大きく、この取付金具と建物構造体の間の連結具近傍には、火災時に焼失または溶融するシート状体が設けられているので、火災時には、取付金具と建物構造体との間の取付金具近傍にあるシート状体が焼失または溶融して、この間に隙間が生じて取付金具の締結力が緩み、外壁パネルが移動可能になる。
【００２５】
そして、外壁パネルと建物構造体の膨張収縮の差によって外壁パネルを移動させようとする力が加わったときには、建物構造体と外壁パネルを連結している連結具が、連結具の軸径より４ｍｍ以上大きい通孔の中を移動し、この移動させようとする力を弱め、その結果、外壁面材に亀裂が入らないし、外壁面材の一部が脱落することがない。
従って、この外壁パネルの亀裂や脱落による耐火性・防火性の低下がない。
【００２６】
また、外壁パネルを建物構造体に取り付ける施工時には、取付金具と建物構造体のどちらか一方の通孔が連結具の径より４ｍｍ以上大きいので、連結具を両方の通孔の中に通し易く、外壁パネルを建物構造体に取り付ける施工が容易である。
【００２７】
請求項２記載の発明では、請求項１記載の発明に係り、前記建物構造体が天井部分の梁と床部分の梁に差し渡された縦部材であり、前記外壁パネルの取付金具がこの縦部材に沿った長いフレームであり、前記火災時に焼失または溶融するシート状体が縦部材とフレームの間に設けられた長尺有機質発泡体シートであるので、外壁パネルを建物構造体に取り付けたときの連結具の締結力によって、外壁パネルと建物構造体の間にある長尺有機質発泡体シートが圧縮され、この部分が水密になる。その結果、防水性のよい建物となる。
【００２８】
そして、火災時には、この長尺有機発泡体シートが焼失したり融解し、この連結具の締結力が失われ、その結果、外壁パネルと建物構造体の膨張収縮の差によって外壁パネルを移動させようとする力が加わったときには、外壁パネルが移動し、外壁面材に亀裂が入らないし、外壁面材の一部が脱落しない。
【発明の効果】
【００２９】
以上説明したように、請求項１記載の発明は、外壁面材と、この外壁面材に取り付けられた取付金具とからなる外壁パネルの取付金具に通孔が設けられ、建物構造体に通孔が設けられ、この外壁パネルが建物構造体に、取付金具の通孔と建物構造体の通孔に通された連結具で、取り付けられた外壁パネルの取付構造であって、前記取付金具と建物構造体のどちから一方の通孔は縦横共に連結具の軸径より４ｍｍ以上大きい丸孔または楕円孔であり、この取付金具と建物構造体の間の連結部近傍には、火災時に焼失または溶融するシート状体が設けられているから、火災時に、取付金具の締結力が緩み、外壁パネルと建物構造体の膨張収縮の差によって外壁パネルを移動させようとする力が加わったときに、外壁パネルを連結している連結具がこの連結具の軸径より４ｍｍ以上大きい通孔の中を移動して、外壁面材に亀裂が入らないし、外壁面材の一部が脱落しない。また、外壁パネルを取り付ける際に、連結具を通孔の中に通し易く、外壁パネルを建物構造体に取り付ける施工が容易である。
【００３０】
請求項２記載の発明は、請求項１記載の発明に係り、前記建物構造体が天井部分の梁と床部分の梁に差し渡された縦部材であり、前記外壁パネルの取付金具がこの縦部材に沿った長いフレームであり、前記火災時に焼失または溶融するシート状体が縦部材とフレームの間に設けられた長尺有機質発泡体シートであるから、この火災時に焼失または溶融するシート状体によって縦材と外壁パネルとの間が水密になり、建物の防水性がよいし、火災時には、簡単に焼失したり融解し、この連結具の締結力が緩み、外壁パネルと建物構造体の膨張収縮の差によって外壁パネルを移動させようとする力が加わったときには、外壁パネルが移動し、外壁面材に亀裂が入らないし、外壁面材の一部が脱落しない。
【発明を実施するための最良の形態】
【００３１】
以下、本発明を実施するための最良の形態を実施例と、比較のための比較例と、この実施例の外壁パネルと比較例の外壁パネルの比較試験とを説明する。
【実施例】
【００３２】
図１〜図７は本発明をユニット建物に適用した一実施例であって、図１はユニット建物を示す斜視図、図２は建物ユニットを示す一部切欠斜視図、図３は間柱に外壁パネルを取り付けたときの外壁パネルの取付部分を示す斜視図、図４は間柱を示す斜視図、図５（ａ）は表面を上に向けたときの外壁パネルの斜視図、（ｂ）は裏面を上に向けたときの外壁パネルの斜視図、図６はリベットを示す斜視図、図７は間柱に外壁パネルを取り付けている状態を示す一部切欠斜視図である。
【００３３】
図１〜図７において、Ｈはユニット建物であり、このユニット建物Ｈは、図１に示すように、基礎９の上に９個の建物ユニット１を据え付けて１階を形成し、この１階の建物ユニット１の上に９個の建物ユニットを据え付けて２階を形成し、この２階の建物ユニット１の上に屋根パネル２を取り付けたものである。
【００３４】
このユニット建物Ｈを構成する建物ユニット１は、図２に示すように、矩形状の四隅に立設した鋼製の四角筒体の４本の柱１１と、この４本の柱の下端部を矩形状の辺に沿って連結した鋼製の断面コ字形長尺体の４本の床梁１２と、柱１１の上端部を矩形状の辺に沿って連結した鋼製の断面コ字形長尺体の４本の天井梁１３とからなる骨格を有する。
【００３５】
そして、建物ユニット１は、この骨格の相対する床梁１２に鋼製の四角筒体の床小梁１４を差し渡して取り付け、この床小梁１４の上に木製の床根太１５を取り付け、この床根太１５の上にパーチクルボードの床面材１６を取り付けて床を形成し、相対する天井梁１３に木製の天井野縁１７を差し渡して取り付け、この天井野縁１７の下面に石膏ボードの天井面材１８を取り付けて天井を形成したものである。
【００３６】
なお、外壁を設ける場所には、天井梁１３と床梁１２の間に建物構造体である間柱２を差し渡して取り付け、この間柱３の屋内側に図示しない内壁パネルを取り付け、屋外側に外壁パネル４を取り付け、この内壁パネルと外壁パネル４の間に図示しないガラス繊維の断熱材を取り付けて外壁を形成する。
更に、必要があれば間仕切り壁パネル等を取り付けたり、押入れ等を設ける。
この際の外壁パネル４の取付構造を更に詳細に説明する。
【００３７】
間柱３は、図４に示すように、鋼製の２個のフランジ３１とこの２個のフランジ３１を連結するウエッブ３２とからなる断面コ字形長尺体であって、両端には、ウエッブ３２を延長し、この延長部分を略直角に折り曲げた連結片３３が設けられている。
この間柱３のウエッブ３２の面には、２個ずつ対になった通孔３９の組が５組設けられ、両端の連結片３３にはそれぞれ２個ずつ通孔３８が設けられている。
なお、この間柱３に設けられている通孔３９は、長径が略１９ｍｍ、短径が略１２ｍｍの上下方向に長い楕円形をしている。
【００３８】
この間柱３は、天井梁１３と床梁１２との間に立設し、この天井梁１３と床梁１２のそれぞれに２個ずつ設けられている図示しない通孔と、上下の連結片３３に設けられている２個ずつの通孔３８とにそれぞれボルトを通し、このボルトにナットを螺入して巻き締めることによって、天井梁１３と床梁１２との間に立設した状態に取り付けられている。
そして、このウエッブ３２の面には、火災時に焼失または溶融するシート状体である長尺ポリエチレン発泡体シート３５が接着剤で取り付けられている。
【００３９】
外壁パネル４は、図５に示すように、上下方向に長い矩形状の硬質木片セメント板の外壁面材４１と、この外壁面材４１の裏面に取り付けられた取付金具である鋼製のフレーム４２とからなる。
このフレーム４２は鋼製の四角筒状体を、外壁面材４１より若干小さい矩形状に組み立た枠４２１と、この間に差し渡された鋼製の四角筒体の桟４２２とからなり、矩形状の長辺に位置する両側の枠４２１には、それぞれ５個の通孔４９が設けられている。
【００４０】
なお、この通孔４９の径は略９ｍｍの円形をしている。
そして、この５個の通孔４９は、外壁パネル４を隣合っている２本の間柱３に当接させたときに、間柱３のウエッブ３２に設けられている通孔３９に対峙する位置に設けられている。
【００４１】
５は間柱３に外壁パネル４を取り付ける連結具のリベットであり、このリベット５は、図６に示すように、フランジ部５１と、拡張変形部５２になる可拡張部５３と、このフランジ部５１と可拡張部５３を繋ぐ軸部５４と  可拡張部５３の先端に設けられている引き片５５と、一端が引き片５５に取り付けられ、軸部５４の中を通って他端がフランジ部５１から突出している引っ張り軸５６とからなる。そして、可拡張部５３には、割れて拡張変形部５２になり易いように割れ目５３１が設けられている。
なお、この軸部５４、可拡張部５３及び引き片５５の径は略同じで、略７ｍｍである。
【００４２】
そして、この外壁パネル４の取付構造は、図３に示すように、リベット５のフランジ部５１が間柱３の屋内側に位置し、軸部５４が間柱３の通孔３９の中と長尺ポリエチレン発泡体体シート３５を突き破った孔とフレーム４２の通孔４９の中に位置し、可拡張部５３が拡張された拡張変形部５２がフレーム４２の四角筒状の内側に位置していて、このフランジ部５１と拡張変形部５２とで、間柱３と長尺ポリエチレン発泡体シート３５とフレーム４２を挟圧した状態に、外壁パネル４が間柱に移動しないように強固に取り付けられている。
【００４３】
６は合成ゴム製長尺体のガスケットであり、このガスケット６は外壁パネル４と隣の外壁パネルとの間の目地の中に挿入されて、この部分を水密にするものである。
次に、このユニット建物Ｈの施工方法及び外壁パネルの取付構造の作用について説明する。
【００４４】
工場で、建物ユニット１、屋根パネル２を製造する。
建物ユニット１を製造する際の外壁パネル４の取付方法を説明する。
即ち、建物ユニット１の骨格の天井梁１３と床梁１２との間に、間柱３を立設し、この天井梁１３と床梁１２にそれぞれ２個ずつ設けられている図示しない通孔と、間柱３の上下の連結片３３にそれぞれ設けられている２個ずつの通孔３８とにそれぞれボルトを通し、このボルトにナットを螺入し巻き締めて、間柱３を天井梁１３と床梁１２とに差し渡した状態に取り付ける。
また、間柱３のウエッブ３２の面に長尺ポリエチレン発泡体シート３５を接着剤で取り付ける。
【００４５】
一方、フレーム４２を外壁面材４１に接着剤で接着し、外壁面材４１の表面からフレーム４２にビス４５を螺入し、表面を塗装して外壁パネル４を製造する。なお、このビス４５の先端は、図３に示すように、フレーム４２の四角筒状の中にある。従って、このフレーム４２を後述するように間柱３に当接させるときに、このビス４５が邪魔にならない。
そして、図７に示すように、屋外方向から外壁パネル４を間柱３に近づけ、間柱３の屋外側面に外壁パネル４のフレーム４２を、フレーム４２の通孔４９が間柱３の通孔３９に対峙するようにして、点線で示す位置に当接する。
【００４６】
次に、間柱３の屋内側からリベット５を、リベット５の引き片５５を先頭にして、外壁パネル４の通孔４９と間柱３の通孔３９とに、フランジ部５１が間柱３の屋内面に当接するまで、挿入する。
すると、引き片５５と可拡張部５３が外壁パネル４の通孔４９を通過し、更に、長尺ポリエチレン発泡体シート３５を突き破って、間柱３の通孔３９を通過する。
従って、この通過した引き片５５と可拡張部５３が外壁パネル４のフレーム４２の四角筒状の中に位置し、軸部５４は外壁パネル４の通孔４９と間柱３の通孔３９の中に留まる状態になる。
【００４７】
この状態で、フランジ部５１から突出している引っ張り軸部５６を屋内方向に引っ張って引き片５５を引き寄せると、この引き寄せられた引き片５５によって可拡張部５３が割れ目５３１から割れて外側方向に膨張した状態に変形して拡張変形部５７となる。その結果、この拡張変形部５７とフランジ部５１とで、図２に示すように、間柱３と長尺ポリエチレン発泡シート３５とフレーム４２が挟圧され、外壁パネル４が間柱３に移動しないように強固に取り付けられる。
【００４８】
この際、リベット５の引き片５５と可拡張部５３と軸部５４の径は略７ｍｍであるし、フレーム４２の通孔４９の径は略９ｍｍであり、間柱３の通孔３９の短径が略１２ｍｍ、長径が略１９ｍｍである。このように、間柱３の径が縦横共にリベットの引き片５５や可拡張部５３の径より４ｍｍ以上大きく、フレームの通孔の径が略２ｍｍ大きいので、フレーム４２の通孔４９と間柱３の通孔３９が完全に一致してなくとも、リベット５の引き片５５や可拡張部５３を軸部５４を外壁パネル４のフレーム４２の通孔４９や間柱３の通孔３９の中に挿入することができるし、屋内側からだけで簡単に外壁パネル４を間柱３に取り付けることができる。従って、外壁パネル４を取り付ける施工が容易である。
【００４９】
次に、ガスケット６を外壁パネル４と隣の外壁パネルとの間の目地の中に挿入して、この目地部分を水密にすると外壁パネル４の取付構造が完了する。
【００５０】
このようにして製造された建物ユニット１を施工現場に運搬し、施工現場で、予め設けられている基礎９の上に９個の建物ユニット１を据え付けて１階を形成し、この１階の建物ユニット１の上に９個の建物ユニットを据え付けて２階を形成し、この２階の建物ユニット１の上に屋根パネル２を取り付ける。
そして、隣接する建物ユニット１の外壁パネル４の間にガスケット６を挿入したり、その他の仕上げを行うとユニット建物Ｈが完成する。
【００５１】
このようにして完成したユニット建物Ｈでは、外壁パネル４と隣の外壁パネル４の間の目地にはガスケット６が取り付けられていて、この部分が防水構造になっているし、外壁パネル４のフレーム４２と間柱３の間に長尺ポリエチレン発泡体シート３５が押圧された状態に設けられていて、この部分の防水性がよいというように、２重の防水構造になっているので、目地から雨水が外壁の内側に浸入しない。
【００５２】
また、リベット５の軸部５４の径が略７ｍｍであり、間柱３の通孔３９の短径が略１２ｍｍ、長径が略１９ｍｍというように、間柱３の径がリベット５の軸部５４の径より４ｍｍ以上大きい楕円孔であり、且つ、外壁パネル４のフレーム４２と間柱３との間には、火災時に焼失または溶融する長尺ポリエチレン発泡体シート３５が設けられているから、火災時には、取付金具と建物構造体との間の取付金具近傍にあるシート状体が焼失または溶融して、この間に隙間が生じて取付金具の締結力が緩み、外壁パネルが移動可能になる。
【００５３】
従って、火災時に外壁パネル４と間柱３の膨張収縮の差によって外壁パネル４に移動させようとする力が加わっても、リベット５の軸径より４ｍｍ以上大きい通孔の中を移動し、この移動させようとする力を弱め、外壁面材４１に亀裂が入らないし、外壁面材４１の一部が脱落することがない。その結果、この外壁面材４１の亀裂や脱落による耐火性・防火性の低下がない。
（比較例１）
【００５４】
比較のために、間柱に実施例より小さい径略９ｍｍの丸孔の通孔を設ける他は実施例と同じ方法で、外壁パネルを間柱に取り付けて試験体を製造した。
（比較例２）
【００５５】
比較のために、間柱に実施例より短径が小さく（短径が９ｍｍ）、長径が略同じ（１９ｍｍ）の楕円形の通孔を設ける他は実施例と同じ方法で、外壁パネルを間柱に取り付けて試験体を製造した。
（比較例３）
【００５６】
比較のために、長尺ポリエチレン発泡体シートを取り付けない間柱に実施例と略同じ短径が１２ｍｍ、長径が１９ｍｍの楕円形の通孔を設け、この間柱に実施例と同じ方法で、外壁パネルを取り付けて試験体を製造した。
（比較試験）
【００５７】
この実施例に使用した外壁パネルを間柱に取り付けた試験体と比較例１、２、３で製造した試験体をＪＩＳ−Ａ−１３０２の２級加熱曲線に従って加熱した。
その時の外壁面材の加熱による変化を表１に示した。
【００５８】
【表１】
2005146653.tif 000003
【００５９】
この表１の結果から判るように、間柱に設けられた孔の径が略９ｍｍの丸孔というように、リベットの軸径７ｍｍより略２ｍｍだけ大きいが、実施例より小さい通孔を有する比較例１では１５分で外壁面材の一部が割れて脱落する。また、間柱に設けられた孔の径が短径が略９ｍｍ、長径が略１２ｍｍの楕円孔というように、長径が４ｍｍ以上大きいが短径が２ｍｍだけ大きい通孔である比較例２では１９分で外壁面材の一部が割れて脱落した。
【００６０】
また、間柱に設けられた通孔の径が１２ｍｍ、長径が１９ｍｍというように、実施例と略同じ通孔を有するが、間柱と外壁パネルとの間に長尺ポリエチレン発泡体シートのない実施例３では、外壁面材が１５分で割れて脱落した。
一方、間柱に設けられた孔が短径が１２ｍｍ、長径が１９ｍｍというように、縦横共にリベットの径より４ｍｍ以上大きく、しかも、間柱と外壁パネルとの間に長尺ポリエチレン発泡体シートのある場合には、外壁面材の割れによる脱落が２５分で発生するというように、外壁面材が割れて脱落するまでに比較例１〜３より長時間かかっり、耐火性に優れていることが判る。
この比較試験から、間柱に設けられた通孔の径がリベットの軸径より４ｍｍ以上大きく間柱と外壁パネルとの間に長尺ポリエチレン発泡体シートのある外壁パネルを取り付けた建物の耐火性がよいことが判る。
【産業上の利用可能性】
【００６１】
この実施例では、ユニット建物の外壁パネル取付構造について説明したが、その他の建物の外壁パネル取付構造にも応用できる。
また、外壁パネルを間柱に取り付けた外壁パネル取付構造について説明したが、間柱が他の建物構造体であってもよいし、外壁面材に硬質木片セメント板を使用したが、この他の外壁面材であってもよい。
また、間柱には、長尺ポリエチレン発泡体シートを接着したが、火災ときに焼失または溶融するものであれば、その他のシート状体でもよいし、長尺ポリエチレン発泡体シートを間柱のウエッブ面全体に設けたが、外壁パネルを取り付ける連結具近傍だけに設けてもよい。
【図面の簡単な説明】
【００６２】
【図１】実施例のユニット建物を示す斜視図である。
【図２】実施例の建物ユニットを示す一部切欠斜視図である。
【図３】実施例の間柱に外壁パネルを取り付けたときの外壁パネルの取付部分を示す斜視図である。
【図４】実施例の間柱を示す斜視図である。
【図５】（ａ）は実施例の表面を上に向けたときの外壁パネルの斜視図、（ｂ）は裏面を上に向けたときの外壁パネルの斜視図である。
【図６】実施例のリベットを示す斜視図である。
【図７】実施例の間柱に外壁パネルを取り付けている状態を示す一部切欠斜視図である。
【符号の説明】
【００６３】
Ｈ          ユニット建物
１          建物ユニット
１２        下側の梁（床梁）
１３        上側の梁（天井梁）
３          建物構造体（間柱）
３５        火災時に焼失または溶融するシート状体（長尺ポリエチレン発泡体シート）
３９        建物構造体（間柱）の通孔
４          外壁パネル
４１        外壁面材
４２        取付金具（フレーム）
４９        取付金具（フレーム）の通孔
５          連結具（リベット）
【図１】
2005146653.tif 000004
【図２】
2005146653.tif 000005
【図３】
2005146653.tif 000006
【図４】
2005146653.tif 000007
【図５】
2005146653.tif 000008
【図６】
2005146653.tif 000009
【図７】
2005146653.tif 000010